(57)【特許請求の範囲】
【請求項１】
縦枠バーを支柱バーに成す方形枠体のフレーム体を並設して該支柱バーを上方へ継ぎ足し連結すると共に、該並設フレーム体の上端間に足場板を渡設敷設する多層型高所作業足場装置に装着する安全柵装置にして、前記多層型高所作業足場装置の外側の前記支柱バーに着脱自在に装着する支承脚部と、前記足場板の手摺部を一体に備えて成り、該支承脚部は支柱バーを中間空所に収容する対称一対の脚管から成り、前記継ぎ足し連結の前記支柱バーに沿ってせり上げスライド自在にして、さらに操作レバーを有する挟着係止片を該脚管に設け、該挟着係止片によって前記中間空所内の支柱バーを挟着係止自在にした固定係止手段を備えて成る構造を特徴とする多層型高所作業足場装置の安全柵装置。
【請求項２】
支承脚部が支柱バーを中間空所に収容する対称一対の脚管から成り、該脚管のそれぞれに手動操作によって逆八字状・開脚状を呈するレバー形状の落下防止用係止片を備え、該逆八字状の該落下防止用係止片をフレーム体の横桟の上側に係合させて前記支承脚部をフレーム体に係止し、かつ、該落下防止用係止片を前記開脚状にして該支承脚部の前記支柱バーのせり上げ移動自在にした固定係止手段を備えた請求項１に記載の多層型高所作業足場装置の安全柵装置。
【発明の詳細な説明】
【０００１】
【発明の属する技術分野】
本発明は、高層建物の建設工事・修復工事の工事現場において、その高層建物の外周部分に多階状に構築設定する多層型高所作業足場装置の安全柵装置に関するものである。
【０００２】
【従来の技術】
広く普及している前記の多層型高所作業足場装置２は（図５参照）構築設定すべき多層形態の各層（各階）の高さＨを有する方形枠体のフレーム体３と、このフレーム体３の上端間に渡設連結する長方形状の足場板４が主要構成部材にして、このフレーム体３は平行２本の縦バーの支柱バー５を横桟６で連結した枠体にして、支柱バー５を順次継ぎ足し連結して多層状（多階状）に積み上げ連結できる。そして、必要高さの多層状に積み上げ連結して組立てると、上下方向に連設された支柱バー５群が同一外径で連続する長尺縦柱形態となって高所作業足場装置２の荷重を支承するように成っている。
【０００３】
そして、以上のフレーム体３を建設すべき高層建物等の外周に沿って概ね１８，０００粍のフレームスパンＬで立設配設して足場板４を渡設連結して、並設姿勢のフレーム体３群の上端に一層部位の作業足場９Ａが構築設定される。続いて、そのフレーム体３のそれぞれに次のフレーム体３を連結して上方へ継ぎ足しセットして足場板４が渡設されて２層部位の作業足場９Ｂが構築設定され、以下同じく継ぎ足しセットして３層部位の作業足場９Ｃが構築され、必要層数の作業足場が構築される。なお、図中の８はフレーム体３間を相互連結固定するステー部材である。
【０００４】
【発明が解決しようとする課題】
以上の従来の多層型高所作業足場装置は重重量の金属製の足場板４を高所でフレーム体３に掛け止め渡設して連結固定する高所作業の際の安全柵が不存在にして、その上、命綱も係止しづらい高所作業環境となるので、極めて危険にして作業安全性に著しく欠ける。
【０００５】
さらに、以上の工法によって構築設定した各層の作業足場９上で高所作業をするとき、安全用命綱が掛け止めし易いポイントがなく、例えばフレーム体３間にロープやバー材を横設セットして命綱係止部とせざるを得ないので、その設定作業は面倒にして手数がかかるので「つい省略」することが往往にしてあり、転落事故をもたらす危険がある。
【０００６】
本発明は、以上の従来技術の難点を解消する多層型高所作業足場装置の安全柵装置を提供するものである。
【０００７】
【課題を解決するための手段】
以上の技術課題を解決する本発明の多層型高所作業足場の安全柵装置は「縦枠バーを支柱バーに成す方形枠体のフレーム体を並設して該支柱バーを上方へ継ぎ足し連結すると共に、該並設フレーム体の上端間に足場板を渡設敷設する多層型高所作業足場装置に装着する安全柵装置にして、前記多層型高所作業足場装置の外側の前記支柱バーに着脱自在に装着する支承脚部と、前記足場板の手摺部を一体に備えて成り、該支承脚部は支柱バーを中間空所に収容する対称一対の脚管から成り、前記継ぎ足し連結の前記支柱バーに沿ってせり上げスライド自在にして、さらに操作レバーを有する挟着係止片を該脚管に設け、該挟着係止片によって前記中間空所内の支柱バーを挟着係止自在にした固定係止手段を備えて成る構造」に成っている。
【０００８】
即ち、本発明の安全柵装置は、最初最下層用に並設したフレーム体群のそれぞれの支柱バーに前記の支承脚部を装着して該フレーム体間の安全柵を設定し、しかるのち、その支承脚部を１層から２層・３層…等に順次継ぎ足した支柱フレームにすり上げセットして、２層・３層…の足場板渡設作業の安全柵として活用可能にした構造が特徴である。
【０００９】
そして、その支承脚部と支柱バーへの固定係止手段は、例えば「支承脚部が支柱バーを中間空所に収容する対称一対の脚管から成り、操作レバーを有する挟着係止片を該脚管に設け、該挟着係止片によって前記中間空所内の支柱バーを挟着係止自在にした固定係止手段」において該脚管のそれぞれに手動操作によって逆八字状または開脚状を呈するレバー形状の落下防止用係止片を備え、該逆八字状の該落下防止用係止片をフレーム体の横桟の上側に係合させて前記支承脚部をフレーム体に係止し、かつ、該落下防止用係止片を前記開脚状にして該支承脚部の前記支柱バーのせり上げ移動自在にした固定係止手段」の態様が採択される。
【００１０】
【作用】
以上の構成の本発明の安全柵装置は、高所作業足場装置の支柱フレームに装着固定して順次上方へ摺り上げセットすることができるので、各層の作業足場の安全柵が簡便にして的確に設定可能にして、高所で行う足場板の渡設設定作業の安全性が向上すると共に、その渡設設定作業がやり易くなって能率化する。
【００１１】
そして、前記態様の固定係止手段を備えたものは、安全柵装置のフレーム体への係止固定と係止解離ルーズが手動操作によって簡便かつ的確にできる。そして、その固定係止機構によって高所作業足場装置に係止固定するので、高所作業で予測される安全荷重に充分に耐え得る良好な安全柵性能が確保できる。
【００１２】
【発明の実施の形態】
本発明一実施例の安全柵装置を図１〜図４を参照して説明する。即ち、この実施例の安全柵装置１は５〜６階以上等の高層ビルの建設工事等に際して、建設すべき高層ビルの外周を取り巻いて構築設定して各種高所作業の作業足場を各層毎に設ける公知の多層型高所作業足場装置２に設定する安全柵装置にして以下の構造を有している。
【００１３】
即ち、安全柵装置１は図５例示の公知の方形枠体のフレーム体３を約１，８００粍等のフレームスパンＬで並設して順次多層状に継ぎ足し連結して増層する多層型高所作業足場装置２（以下、単に足場装置２という）に装着セットする付設装置にして、足場装置２の組立て状態のフレーム体３の外側からフレーム体３の支柱バー５に装着する支承脚部１０と、この支承脚部１０の上端に一体に設けて左右方向へ長方形をなして拡がる手摺部１１によって構成され、支承脚部１０は各層のフレーム体３の支柱バー５に装着して固定係止できると共に、支柱バー５に沿って上下スライド移動可能にして、最下層のフレーム体３Ａから上層のフレーム体３Ｂ…へすり上げ移動させて順次上層のフレーム体３に移動させて「手摺部１１を必要なポジションにセットして」固定できる。
【００１４】
詳しくは、支承脚部１０は（図２参照）方形中空管の２本の脚管１２を中間空所１３を隔てて平行一対にして正面側の連結板１４で連結固定したツイン管構造にして、中間空所１３に「フレーム体３の支柱バー５」を受け入れ収容して上下方向へスライド移動したり、支柱バー５の所定ポジションへ固定ロックできる固定係止手段を備えている。
【００１５】
即ち（図３参照）支承脚部１０の脚管１２のそれぞれには、管外に設けた操作レバー２１と管内に設けた操作ロッド２２Ａと操作ロッド２２Ａ下端のトッグル機構部２３と、トッグル機構部２３の作動によって支柱バー５の外周に強圧圧接する挟着係止片２５（以下、挟着片２５という）から成る支柱バー５への挟着ロック機構２０が設けてあり、２本の脚管１２の操作レバー２１を回転操作すると対称一対の挟着片２５が支柱バー５の外周を「強大な挟着力」によって両側から挟着ロックし、支承脚部１０は支柱バー５の任意ポジションへ的確に挟着ロックできる。
【００１６】
そして、操作レバー２１の逆操作によって挟着片２５の支柱バー５への挟着ロックを解除すると、支承脚部１０が支柱バー５に対して上下スライド自在となって前記のすり上げ移動ができる。
【００１７】
さらに、この支承脚部１０には以下に詳述する開閉係止爪機構３０と「フレーム体３の横桟６への係止手段４０」が設けてある。即ち（図４参照）一対の脚管１２には上下スライド操作自在の操作把手３１が外嵌されて管内の操作ロッド２２Ｂに連結されると共に、この操作ロッド２２Ｂの下端にはテーパーカム３２が設けてあり、操作把手３１を手動で上下させるとテーパーカム３２が連動して上下作動する。
【００１８】
そして、このテーパーカム３２の下方の脚管１２内には、中間空所１３の方向へ進退自在に支承され、かつ、中間空所１３の方向へ「板ばね３３」で付勢される開閉係止爪１５が中間凹所１３の入口側に対称一対に設けられている。
【００１９】
そして、支承脚部１０を支柱バー５に嵌めるときに操作把手３１を引き下げると、テーパーカム３２が「長孔の軸孔３４に支承されている開閉係止爪１５の支承軸３５を脚管１２の外側方向へ強制後退させて（図４（Ｂ）参照）中間空所１３の前方を開口し、支柱バー５に支承脚部１０が装着できる。そして、引き下げ操作した操作把手３１を元に戻すと開閉係止爪１５がばね付勢力によって再び前進して中間空所１３の出口を閉じて中間空所１３内の支柱バー５の飛び出し防止する開閉係止爪機構３０を構成している。
【００２０】
一方、横桟６への支承脚部１０の係止手段４０は以下のように構成されている。即ち、（図４参照）脚管１２のそれぞれには軸４２に回転自在に支承されて脚管１２の外側に位置する片持レバー体の落下防止用係止片４１が対称一対に設けられて操作把手３１と連結されて係止手段４０を構成している。そして、操作把手３１を引き下げた状態では一対の落下防止用係止片４１が図示点線のように垂れ下げ姿勢となってフレーム体３の横桟６の通過を許容して支承脚部１０の支柱バー５のすり上げ移動ができる。
【００２１】
そして、支柱バー５をすり上げして支承脚部１０を係止すべき上層の横桟６の上側に落下防止用係止片４１が位置すると、操作把手３１を元位置に引き上げることによって、対称一対の落下防止用係止片４１が図示実線の逆八字状を呈して、先端が横桟６の上半周に係合して支承脚部１０を係止し、支承脚部１０（即ちフレーム体３）の横桟６からのすべり落下を的確に防止するように成っている。
【００２２】
なお、この実施例のものは操作ロッド２２Ａを脚管１２の上下方向に長くして、前記の操作レバー２１が上下２個設定されており、足場装置２の支柱バー５への装着ロックをし易くしたり、前記のせり上げ作業がし易くなるように配慮されている。そして、手摺部１１は隣接部分を嵌合部１８によって噛み合い係合して組合せて一連長尺の手摺部に成し、手摺部１１の一段の安全性向上が配慮されている。以上の実施例のものは前記の作用がある。
【００２３】
なお、本発明の安全柵装置は前記の実施例に限定することなく、例えば前記の係止手段４０を省略したり、支承脚部１０を他の形態にしたり、フレーム体３への固定係止手段を他の形態にする等の変化がある。そして、実施例図面には省略したが、図５に示すステー部材８は必要に応じて設定する。さらに、本発明の安全柵装置の用法は多層型高所作業足場装置２の構築作業の安全柵のみではなく、多層型高所作業足場装置における作業足場の安全柵としても応用するものである。
【００２４】
【発明の効果】
以上の説明のとおり、本発明の多層型高所作業足場装置の安全柵装置は、高所作業足場の構築設定作業と該高所作業足場で行う高所作業の安全性を特段に向上して当該作業の労働安全性の改良向上を図ると共に、それ等の高所諸作業の作業能率の向上を促進する。以上の優れた実用的諸効果がある。
【図面の簡単な説明】
【図１】本発明一実施例の安全柵装置を示し、（Ａ）は高所作業足場装置への装着状態を示す斜視図、（Ｂ）は（Ａ）の部分平面図
【図２】図１実施例の安全柵装置を示し、（Ａ）はその正面図、（Ｂ）はその左側面図、（Ｃ）はその背面図、（Ｄ）は（Ａ）のＥＥ端面図
【図３】図１実施例の安全柵装置の挟着ロック機構を示し、（Ａ）はその正面図、（Ｂ）は挟着ロック状態を示す（Ａ）のＣＣ端面図
【図４】図１実施例の安全柵装置の支承脚部のフレーム体への係止機構を示し（Ａ）はその構造説明の正面図、（Ｂ）はその作用説明の要部横断端面図
【図５】従来の多層型高所作業足場装置を示し、（Ａ）はその全体斜視図、（Ｂ）はその主要部構成部材の斜視図
【符号の説明】
１  安全柵装置
２  多層型高所作業足場装置
３  フレーム体
４  足場板
５  支柱バー
６  横桟
１０  支承脚部
１１  手摺部
１２  脚管
１３  中間空所
１５  開閉係止爪
２０  挟着ロック機構
２１  操作ハンドル
２２  ロッド
２３  トッグル機構部
２５  挟着片
３０  開閉係止爪機構
３１  操作把手
３２  テーパーカム
３３  板ばね
４０  係止手段
４１  落下防止用係止片
【図１】
0003672848.tif 000002
【図２】
0003672848.tif 000003
【図３】
0003672848.tif 000004
【図４】
0003672848.tif 000005
【図５】
0003672848.tif 000006